Podtech/llm-jp-corpus-v4-ja_patent huggingface dataset:
【手続補正書】
【提出日】平成16年11月26日(2004.11.26)
【手続補正１】
【補正対象書類名】明細書
【補正対象項目名】特許請求の範囲
【補正方法】変更
【補正の内容】
【特許請求の範囲】
【請求項１】
１ビットのメモリセルがフローティングの半導体層に形成された一つのＭＩＳトランジスタにより構成され、
前記ＭＩＳトランジスタのソース、ドレイン間に配置されたチャネル形成のための第１のゲートとは別に、前記半導体層の電位を容量結合により制御するための電位固定された第２のゲートが設けられ、
前記ＭＩＳトランジスタは、ドレイン接合近傍でインパクトイオン化を起こして前記半導体層を第１の電位に設定した第１データ状態と、ドレイン接合に順バイアス電流を流して前記半導体層を第２の電位に設定した第２データ状態とをダイナミックに記憶する
ことを特徴とする半導体メモリ装置。
【請求項２】
前記第１データ状態は、前記ＭＩＳトランジスタを５極管動作させることによりドレイン接合近傍でインパクトイオン化を起こすことにより書き込まれ、
前記第２データ状態は、前記第１のゲートからの容量結合により所定電位が与えられた前記半導体層と前記ドレインとの間に順方向バイアスを与えることにより書き込まれる
ことを特徴とする請求項１記載の半導体メモリ装置。
【請求項３】
前記ＭＩＳトランジスタが複数個マトリクス配列され、第１の方向に並ぶＭＩＳトランジスタのドレインがビット線に、第２の方向に並ぶＭＩＳトランジスタの第１のゲートがワード線に、前記ＭＩＳトランジスタのソースが第１の固定電位に、前記ＭＩＳトランジスタの第２のゲートが第２の固定電位にそれぞれ接続されてメモリセルアレイが構成され、
データ書き込み時、前記第１の固定電位を基準電位として、選択ワード線に前記基準電位より高い第１の制御電位を与え、非選択ワード線に前記基準電位より低い第２の制御電位を与え、ビット線には第１及び第２データ状態に応じてそれぞれ前記基準電位より高い第３の制御電位及び前記基準電位より低い第４の制御電位を与えるようにした
ことを特徴とする請求項１記載の半導体メモリ装置。
【請求項４】
前記第２のゲートに与える第２の固定電位を、前記半導体層の前記第２のゲート側の表面が蓄積状態になるように設定した
ことを特徴とする請求項３記載の半導体メモリ装置。
【請求項５】
前記第２のゲートに与える第２の固定電位を、前記半導体層の前記第２のゲート側の表面が空乏状態になるように設定した
ことを特徴とする請求項３記載の半導体メモリ装置。
【請求項６】
前記半導体層は、半導体基板上に絶縁膜により分離されて形成されたものであり、
前記第１のゲートは、前記半導体層の上部にワード線として連続的に配設され、  前記第２のゲートは、前記半導体層の下部に前記ワード線と並行する配線として形成されている
ことを特徴とする請求項１乃至５のいずれかに記載の半導体メモリ装置。
【請求項７】
前記半導体層は、半導体基板上に絶縁膜により分離されて形成されたものであり、
前記第１のゲートは、前記半導体層の上部にワード線として連続的に配設され、前記第２のゲートは、前記半導体層の下部に、全メモリセルをカバーする共通ゲートとして形成されている
ことを特徴とする請求項１乃至５のいずれかに記載の半導体メモリ装置。
【請求項８】
前記第２のゲートは、前記絶縁膜中に埋設されてゲート絶縁膜を介して前記半導体層に対向する多結晶シリコン膜である
ことを特徴とする請求項６又は７記載の半導体メモリ装置。
【請求項９】
前記第２のゲートは、前記絶縁膜を介して前記半導体層に対向するように前記半導体基板の表面部に形成された高濃度不純物拡散層であることを特徴とする請求項６又は７記載の半導体メモリ装置。
【請求項１０】
前記半導体層は、半導体基板上に形成された柱状半導体であり、
前記第１のゲート及び第２のゲートは、前記柱状半導体層の両側面に対向するように形成され、前記ドレインが前記柱状半導体の上面に、前記ソースが前記柱状半導体の下部に形成されている
ことを特徴とする請求項１乃至５のいずれかに記載の半導体メモリ装置。
【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
データを記憶するＴＭＲ素子と、前記ＴＭＲ素子に磁界を与えるための第１及び第２電流駆動線とを具備し、前記ＴＭＲ素子は、積み重ねられた複数のＴＭＲ層から構成され、各ＴＭＲ層は、２つの磁性層と、前記２つの磁性層の間に挟まれた絶縁層とを含み、前記第１及び第２電流駆動線に流れる電流の向き及び量を制御し、各ＴＭＲ層に与えられる磁界の強さを異ならしめ、各ＴＭＲ層に個別にデータを書き込むことを特徴とする磁気ランダムアクセスメモリ。
【請求項２】
前記複数のＴＭＲ層のアステロイド曲線を互いに異ならしめることにより、各ＴＭＲ層に個別にデータを書き込むことを特徴とする請求項１記載の磁気ランダムアクセスメモリ。
【請求項３】
前記複数のＴＭＲ層に対するデータ書き込みは、スピンの向きを変えるための磁界が最も大きいＴＭＲ素子から最も小さいＴＭＲ素子に向かって、順次、実行されることを特徴とする請求項２記載の磁気ランダムアクセスメモリ。
【請求項４】
前記複数のＴＭＲ層内の前記絶縁層の厚さを互いに異ならしめ、前記複数のＴＭＲ層に同一データが記憶されている場合における前記複数のＴＭＲ層の抵抗値を互いに異ならしめたことを特徴とする請求項１記載の磁気ランダムアクセスメモリ。
【請求項５】
磁界を生成するための第１、第２及び第３電流駆動線と、前記第１電流駆動線の下面に接触して配置される第１ＴＭＲ素子と、前記第１ＴＭＲ素子に接続される第１スイッチ素子と、前記第１電流駆動線の上面に接触して配置される第２ＴＭＲ素子と、前記第２ＴＭＲ素子に接続される第２スイッチ素子とを具備し、前記第１及び第２ＴＭＲ素子は、少なくとも１つのＴＭＲ層から構成され、前記少なくとも１つのＴＭＲ層は、２つの磁性層と、前記２つの磁性層の間に挟まれた絶縁層とを含んでいることを特徴とする磁気ランダムアクセスメモリ。
【請求項６】
第１電流駆動線と、前記第１電流駆動線に接触する第１及び第２ＴＭＲ素子と、前記第１及び第２ＴＭＲ素子に共通に接続されるスイッチ素子とを具備し、前記第１及び第２ＴＭＲ素子は、少なくとも１つのＴＭＲ層から構成され、前記少なくとも１つのＴＭＲ層は、２つの磁性層と、前記２つの磁性層の間に挟まれた絶縁層とを含み、前記第１及び第２ＴＭＲ素子に対するデータ読み出しは、前記第１電流駆動線に検出抵抗を電気的に接続し、前記検出抵抗の両端にかかる検出電圧を検出することにより行い、前記第１又は第２ＴＭＲ素子に対して書き込みデータを上書きし、前記書き込みデータの上書き前後において前記検出電圧に変化があった場合には、前記第１又は第２ＴＭＲ素子のデータは、前記書き込みデータとは異なる値を有していると判断し、前記書き込みデータの上書き前後において前記検出電圧に変化がなかった場合には、前記第１又は第２ＴＭＲ素子のデータは、前記書き込みデータと同じ値を有していると判断することを特徴とする磁気ランダムアクセスメモリ。
【手続補正２】
【補正対象書類名】明細書
【補正対象項目名】０００１
【補正方法】変更
【補正の内容】
【０００１】
【発明の属する技術分野】
本発明は、トンネル型磁気抵抗(Tunneling Magneto Resistive)効果を利用する磁気ランダムアクセスメモリ(MRAM: Magnetic Random Access Memory)に関する。
【手続補正書】
【提出日】平成16年8月16日(2004.8.16)
【手続補正１】
【補正対象書類名】明細書
【補正対象項目名】請求項７
【補正方法】変更
【補正の内容】
【請求項７】
半導体基板の上に下部電極形成膜を形成した後、形成した下部電極形成膜に対して、それぞれエロージョン現象によりリセスを生じない程度の外形寸法にパターニングを行なうことにより、前記下部電極形成膜から複数の下部電極を形成する第１の工程と、
前記半導体基板の上に前記複数の下部電極を覆うように全面にわたって埋込絶縁膜を堆積する第２の工程と、
化学機械研磨法により、前記埋込絶縁膜に対して前記下部電極が露出するまで研磨を行なう第３の工程と、
露出した複数の下部電極及び前記埋込絶縁膜に対してオーバ研磨を行なうことにより、前記複数の下部電極及び埋込絶縁膜の上面を平坦化する第４の工程と、
平坦化した複数の下部電極及び埋込絶縁膜の上に、強誘電体からなる容量絶縁膜形成膜を形成する第５の工程と、
前記容量絶縁膜の上に上部電極形成膜を形成する第６の工程と、
前記容量絶縁膜に対して前記複数の下部電極とそれぞれ対向するようにパターニングを行なうことにより、前記容量絶縁膜形成膜から複数の容量絶縁膜を形成する第７の工程と、
前記上部電極形成膜に対して前記複数の容量絶縁膜とそれぞれ対向するようにパターニングを行なうことにより、前記上部電極形成膜から複数の上部電極を形成する第８の工程とを備えていることを特徴とする強誘電体メモリ装置の製造方法。
【手続補正２】
【補正対象書類名】明細書
【補正対象項目名】０００３
【補正方法】変更
【補正の内容】
【０００３】
従来のスタック型構造の強誘電体メモリ装置は、例えば特開２０００−１３８３４９号公報に開示されている。
【手続補正３】
【補正対象書類名】明細書
【補正対象項目名】００２１
【補正方法】変更
【補正の内容】
【００２１】
本発明に係る強誘電体メモリ装置の製造方法は、半導体基板の上に下部電極形成膜を形成した後、形成した下部電極形成膜に対して、それぞれエロージョン現象によりリセスを生じない程度の外形寸法にパターニングを行なうことにより、下部電極形成膜から複数の下部電極を形成する第１の工程と、半導体基板の上に複数の下部電極を覆うように全面にわたって埋込絶縁膜を堆積する第２の工程と、化学機械研磨法により、埋込絶縁膜に対して下部電極が露出するまで研磨を行なう第３の工程と、露出した複数の下部電極及び埋込絶縁膜に対してオーバ研磨を行なうことにより、複数の下部電極及び埋込絶縁膜の上面を平坦化する第４の工程と、平坦化した複数の下部電極及び埋込絶縁膜の上に、強誘電体からなる容量絶縁膜形成膜を形成する第５の工程と、容量絶縁膜の上に上部電極形成膜を形成する第６の工程と、容量絶縁膜に対して複数の下部電極とそれぞれ対向するようにパターニングを行なうことにより、容量絶縁膜形成膜から複数の容量絶縁膜を形成する第７の工程と、上部電極形成膜に対して複数の容量絶縁膜とそれぞれ対向するようにパターニングを行なうことにより、上部電極形成膜から複数の上部電極を形成する第８の工程とを備えている。
【手続補正４】
【補正対象書類名】明細書
【補正対象項目名】００４１
【補正方法】変更
【補正の内容】
【００４１】
そこで、第１の実施形態においては、ダミーセルＢを含むコンタクトプラグ１４のパターン密度γ2 を０．２５としており、このときのエロージョン発生量は５０ｎｍ以下となる。
【手続補正５】
【補正対象書類名】明細書
【補正対象項目名】００５６
【補正方法】変更
【補正の内容】
【００５６】
図６（ａ）及び図６（ｂ）はこの様子を模式的に示しており、図６（ａ）は下部電極１５が埋込絶縁膜１６から露出した直後の断面構成を示し、図６（ｂ）は下部電極１５に対して十分なオーバ研磨を行なった後の断面構成を示している。なお、実験用の構成であり、コンタクトプラグ１４は省略している。
【手続補正６】
【補正対象書類名】明細書
【補正対象項目名】００６４
【補正方法】変更
【補正の内容】
【００６４】
なお、下部電極１５におけるリセスの発生量は、白金に限らず、イリジウムやその酸化物等であっても同等であり、すなわち、ＣＭＰにより研磨されにくく且つ物理的にしか研磨されない材料であれば同等の結果を得られる。
【手続補正７】
【補正対象書類名】明細書
【補正対象項目名】００７１
【補正方法】変更
【補正の内容】
【００７１】
電極本体膜２１とコンタクトプラグ１４との間に設けられた反応防止膜２０には、電極本体膜２１を構成する白金等の金属又は酸化イリジウム等の導電性酸化物と、コンタクトプラグ１４を構成するタングステン又はポリシリコンとの反応を防止できる導電性材料、例えば、窒化チタン（ＴｉＮ）、酸素の組成が小さい酸化窒化チタン（ＴｉＯＮ）又はＴｉを含む合金を用いることが好ましい。
【手続補正８】
【補正対象書類名】明細書
【補正対象項目名】００８１
【補正方法】変更
【補正の内容】
【００８１】
その上、下部電極２２の側面上に保護膜を設けることにより、反応防止膜２０及び電極本体膜２１の側面が露出されないので、研磨パッドよる膜剥がれを確実に防止することができる。また、このオーバ研磨工程の後に、下部電極２２と埋込絶縁膜１６の全面にウェットエッチ又はドライエッチによるエッチバックを行なうことにより、たとえ下部電極２２の上面に研磨パッドが追従するのが困難な凹部が存在したとしても、該凹部に残る埋込絶縁膜１６を確実に除去することができる。
【手続補正９】
【補正対象書類名】明細書
【補正対象項目名】００８５
【補正方法】変更
【補正の内容】
【００８５】
その上、第２の実施形態においては、コンタクトプラグ１４と電極本体膜２１との間に窒化チタン等のチタンを含む反応防止膜２０を設けているため、下部電極２２の電極本体膜２１はより確実に安定化する。
【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
第１のオブジェクトを構成するポリゴンの対応する頂点を処理するように構成された画像処理装置であって、
第２のオブジェクトに対応する位置に関する条件を記憶する位置条件記憶手段と、
前記位置条件記憶手段を参照することにより、前記第１のオブジェクトを構成するポリゴンの各頂点が対応する条件を満たすどうかを判断し、満たしていないと判断した場合は満たすように各頂点の位置を修正するポリゴン位置修正手段を備え、
前記記憶された条件は、前記第１のオブジェクトを構成するポリゴンと前記第２のオブジェクトを構成するポリゴンが交差しないという条件であることを特徴とする画像処理装置。
【請求項２】
前記位置条件記憶手段は、前記条件として、前記第２のオブジェクトに相対的に対応して設定された領域を記憶することを特徴とする請求項１記載の画像処理装置。
【請求項３】
前記領域は、平面上の領域であることを特徴とする請求項２記載の画像処理装置。
【請求項４】
前記領域は、前記平面上において前記第２のオブジェクトに外接する円に外接する多角形の、任意の隣り合う２辺を延長した２直線により分割される４つの平面領域のうち、前記外接する円が含まれる平面領域に対向する平面領域に含まれる領域であることを特徴とする請求項３記載の画像処理装置。
【請求項５】
前記領域は、前記２直線に接する円形領域であることを特徴とする請求項４記載の画像処理装置。
【請求項６】
前記位置条件記憶手段は、前記領域として、
前記平面上において前記第２のオブジェクトに外接する円に外接する平面多角形の任意の隣り合う２辺を延長した２直線に対し、前記外接する円の反対側から接する円形領域を少なくとも記憶し、
更に、前記多角形の任意の１辺を延長した直線に対し、前記外接する円の反対側から接する円形領域を記憶することを特徴とする請求項３記載の画像処理装置。
【請求項７】
前記ポリゴン位置修正手段は、前記第１のオブジェクトを構成するポリゴンの頂点が前記領域の中に含まれるかどうかを判断し、含まれないと判断した場合は前記領域の中に含まれるように当該頂点の位置を修正することを特徴とする請求項２乃至６のいずれか一項に記載の画像処理装置。
【請求項８】
前記第１のオブジェクトは、前記第２のオブジェクトの少なくとも一部を覆うように配置されていることを特徴とする請求項１乃至６のいずれか一項に記載の画像処理装置。
【請求項９】
前記第１のオブジェクトは人間が身につけている物体を表わすオブジェクトであって、前記第２のオブジェクトは人間の身体又は人間が身につけている物体を表わすオブジェクトであることを特徴とする請求項１乃至６のいずれか一項に記載の画像処理装置。
【請求項１０】
コンピュータシステム内に形成される仮想空間にオブジェクトを配置し、入力操作と定められたルールに従って前記オブジェクトの動きを制御しながらゲームを展開し、前記仮想空間内の様子を仮想カメラから見た画面として表示するゲーム装置であって、
請求項１乃至６のいずれか一項に記載の画像処理装置を備えることを特徴とするゲーム装置。
【請求項１１】
第１のオブジェクトを構成するポリゴンの対応する頂点を処理するための画像処理方法であって、
第２のオブジェクトに対応する位置に関する条件を記録手段に記憶しておき、前記第１のオブジェクトを構成するポリゴンの各頂点が対応する条件を満たすどうかを判断し、各頂点が前記対応する条件によって定義される領域内に含まれない場合は、前記対応する条件を満たすように各頂点の位置を修正する画像処理方法であって、
前記記憶された条件は、前記第１のオブジェクトを構成するポリゴンと前記第２のオブジェクトを構成するポリゴンが交差しないという条件であることを特徴とする画像処理方法。
【請求項１２】
前記条件は、前記第２のオブジェクトに対して設定された領域として記録されていることを特徴とする請求項１１記載の画像処理方法。
【請求項１３】
前記領域は、平面上の領域であることを特徴とする請求項１２記載の画像処理方法。
【請求項１４】
前記領域は、前記平面上において前記第２のオブジェクトに外接する円に外接する多角形の、任意の隣り合う２辺を延長した２直線により分割される４つの平面領域のうち、前記外接する円が含まれる平面領域に対向する平面領域に含まれる領域であることを特徴とする請求項１３記載の画像処理方法。
【請求項１５】
前記領域は、前記２直線に接する円形領域であることを特徴とする請求項１４記載の画像処理方法。
【請求項１６】
前記領域として、
前記平面上において前記第２のオブジェクトに外接する円に外接する多角形の任意の隣り合う２辺を延長した２直線に対し、前記外接する円の反対側から接する円形領域を少なくとも記憶し、
更に、前記多角形の任意の１辺を延長した直線に対し、前記外接する円の反対側から接する円形領域を記憶することを特徴とする請求項１３記載の画像処理方法。
【請求項１７】
前記第１のオブジェクトを構成するポリゴンの頂点が前記条件を満たすどうかを、前記第１のオブジェクトを構成するポリゴンの頂点が前記領域の中に含まれるかどうかで判断し、含まれないと判断した場合は前記領域の中に含まれるように当該頂点の位置を修正することを特徴とする請求項１２乃至１６のいずれか一項に記載の画像処理方法。
【請求項１８】
前記第１のオブジェクトは、前記第２のオブジェクトの少なくとも一部を覆うように配置されていることを特徴とする請求項１１乃至１６のいずれか一項に記載の画像処理方法。
【請求項１９】
前記第１のオブジェクトは人間が身につけている物体を表わすオブジェクトであって、前記第２のオブジェクトは人間の身体又は人間が身につけている物体を表わすオブジェクトであることを特徴とする請求項１１乃至１６のいずれか一項に記載の画像処理方法。
【請求項２０】
コンピュータシステム内に形成される仮想空間にオブジェクトを配置し、入力操作と定められたルールに従って前記オブジェクトの動きを制御しながらゲームを展開し、前記仮想空間内の様子を仮想カメラから見た画面として表示するゲーム方法であって、
請求項１１乃至１６のいずれか一項に記載の画像処理方法により前記オブジェクトを構成するポリゴンの座標を修正することを特徴とするゲーム方法。
【請求項２１】
請求項１１乃至１６のいずれか一項に記載の画像処理方法をコンピュータで実行させるためのプログラムを格納したコンピュータ読み取り可能な記録媒体。
【請求項２２】
請求項２０記載のゲーム方法をコンピュータで実行させるためのプログラムを格納したコンピュータ読み取り可能な記録媒体。
【手続補正書】
【提出日】平成16年9月9日(2004.9.9)
【手続補正１】
【補正対象書類名】明細書
【補正対象項目名】００１８
【補正方法】変更
【補正の内容】
【００１８】
図１に示す原画像１０中において、１１は主要被写体である人物を、１２は後述する撮影場所や撮影位置の特定に有効な被写体である山（以下、便宜上、○山と呼ぶ）を、１３はこれも撮影場所や撮影位置の特定に有効な被写体である著名なビルディング（同、×ビルと呼ぶ）を示している。
【手続補正２】
【補正対象書類名】明細書
【補正対象項目名】００２０
【補正方法】変更
【補正の内容】
【００２０】
以下、まず、本実施例に係る画像検索方法における準備動作としての、図１に示す原画像１０中の位置が特定し得る被写体の位置および名称を特定する動作の概要を、図３に示す動作フロー図に従って説明する。
【手続補正３】
【補正対象書類名】明細書
【補正対象項目名】００２８
【補正方法】変更
【補正の内容】
【００２８】
まず、図２に示すような検索用指定パターンを読み込み（ステップ２０１）、これを地図情報と重ね合わせることで、ユーザの検索用指定情報、すなわち、被写体の位置情報に変換する（ステップ２０２）。
なお、ユーザが、位置情報を入力した場合には、これらのステップは飛ばしてよい。
【手続補正４】
【補正対象書類名】明細書
【補正対象項目名】符号の説明
【補正方法】変更
【補正の内容】
【符号の説明】
１０  原画像
１１  人物
１２  山（○山）
１３  ビルディング（×ビル）
２０  検索用指定パターン
２２  山の存在位置を示す表示
２３  ビルディングの存在位置を示す表示
３０  検索指定パターン
３１  人物（に相当する丸印）
３２  山（に相当する横長の楕円形）
３３  ビルディング（に相当する４角形）
【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
ｎ（ｎは３以上の任意の整数）回線同時接続通話可能なボードを基本単位として、このｎ回線ボードをＮ（Ｎは２以上の任意の整数）枚収容し、（ｎ−２）×Ｎ回線の同時接続通話可能な電話会議システムにより開催される講義において、同講義の講師、各受講生もしくは特定の受講生が、電話信号によりボード単位で組み合せてグループ化する要求命令を発信し、この信号を自己が接続するボードの中央演算処理装置に解析させ、各ボードを統括接続するマネージャーボードと通信を行い、マネージャーボードからその他の各ボードにグループ化要求信号を通信し、任意の組み合わせに基づく特定のグループ内での交信を可能とする同時双方向通信による講習装置。
【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
一般式  化１
【化１】
1998304885.tif 000001
（式中、R1及びR2は、同一又は相異なって、１個以上のヒドロキシル基で置換されていてもよい炭素原子７個から３１個の脂肪族炭化水素基を表し、R3及びR4は、同一又は相異なって、炭素原子２個から７個のアシル基を表す。）
で示されるN-アシルスフィンゴイドエステルの（２Ｒ，３Ｓ）体のエステル結合部位を不斉水解する能力を有するエステル加水分解酵素を、一般式  化１で示されるN-アシルスフィンゴイドエステルに作用させ、これを不斉水解した後、反応液から未反応の前記N-アシルスフィンゴイドエステルの(2S,3R)体を回収し、これをエステル加水分解することにより、一般式  化２
【化２】
1998304885.tif 000002
（式中、R1及びR2は、同一又は相異なって、１個以上のヒドロキシル基で置換されていてもよい炭素原子７個から３１個の脂肪族炭化水素基を表し、R5及びR6は、少なくともその一方が水素原子を表し、他方は水素原子、又は炭素原子２個から７個のアシル基を表す。）
で示される光学活性アルコール化合物を得ることを特徴とする光学活性アルコール化合物の製造方法。
【請求項２】
一般式  化１で示されるN-アシルスフィンゴイドエステルがエリトロ体である請求項１記載の光学活性アルコール化合物の製造方法。
【請求項３】
エステル加水分解酵素が、配列番号１で示されるアミノ酸配列又は該アミノ酸配列における１もしくは複数のアミノ酸が付加、欠失、もしくは置換された配列を有する蛋白質であることを特徴とする請求項１又は請求項２記載の光学活性アルコール化合物の製造方法。
【請求項４】
エステル加水分解酵素が、ブダペスト条約下においてFERM-BP5740として通商産業省工業技術院生命工学工業技術研究所に寄託（受理日：平成８年１１月７日）されている微生物（E.coli JM109 / pAL612株）が産生しうるエステル加水分解酵素であることを特徴とする請求項１又は請求項２記載の光学活性アルコール化合物の製造方法。
【請求項５】
エステル加水分解酵素が、ブダペスト条約下においてFERM-BP5740として通商産業省工業技術院生命工学工業技術研究所に寄託（受理日：平成８年１１月７日）されている微生物（E.coli JM109 / pAL612株）から単離し得られうるエステル加水分解酵素遺伝子の塩基配列によりコードされるアミノ酸配列又は該アミノ酸配列における１もしくは複数のアミノ酸が付加、欠失、もしくは置換された配列を有する蛋白質であることを特徴とする請求項１又は請求項２記載の光学活性アルコール化合物の製造方法。
【手続補正２】
【補正対象書類名】明細書
【補正対象項目名】００２９
【補正方法】変更
【補正の内容】
【００２９】
実施例１
デカン10mlと100mM リン酸緩衝液（pH7.1）100mlの混合液に、ラセミ体でありかつエリトロ体であるエリトロ-3-アセトキシ-2-ステアロイルアミノヘキサデシル  アセテート1.03gと後記参考例１により調製されるエステル加水分解酵素50mgを加え、30℃で、撹拌して反応を行った。反応は、ＴＬＣ［シリカゲル、クロロホルム：メタノール（15：1）］で追跡した。
2日間反応後、反応液を酢酸エチルで抽出し、次いでクロロホルムで抽出を行った。回収された有機溶媒層を塩水で洗浄後、無水硫酸ナトリウムで乾燥後、減圧濃縮を行うことにより残渣を得た。得られた残渣を、シリカゲルカラムクロマトグラフィーにより分離した。溶出は、ヘキサン：酢酸エチル（５：１）、次いでクロロホルム：メタノール（30：1）で行った。溶出された(+)-(2S,3R)-エリトロ-3-アセトキシ-2-ステアロイルアミノヘキサデシル  アセテート（264.9mg）の一部を加水分解した後、p-トルエンスルホン酸、2,2-ジメトキシプロパン、アセトン存在下で(4R,5S)-エリトロ-2,2-ジメチル-5-ステアロイルアミノ-4-トリデシル-1,３-ジオキサンに変換し、1H-NMRにて光学純度を分析した結果、>95%e.e.であった。次に溶出された(-)-(2R,3S)-エリトロ-3-アセトキシ-2-ステアロイルアミノヘキサデカン-1-オール（481.8mg）の一部を加水分解した後、(-)-(2R,3S)-エリトロ-2-ステアロイルアミノ-1,3-ヘキサデカンジオールの旋光度と比較した結果、光学純度は16%e.e.であった。
さらに溶出された、(-)-(2R,3S)-エリトロ-2-ステアロイルアミノ-1,3-ヘキサデカンジオール（214.8mg）の一部をp-トルエンスルホン酸、2,2-ジメトキシプロパン、アセトン存在下で、(4S,5R)-エリトロ-2,2-ジメチル-5-ステアロイルアミノ-4-トリデシル-1,３-ジオキサンに変換し、1H-NMRにて光学純度を分析した結果、>95%e.e.であった。
【手続補正書】
【提出日】平成16年4月19日(2004.4.19)
【手続補正１】
【補正対象書類名】明細書
【補正対象項目名】特許請求の範囲
【補正方法】変更
【補正の内容】
【特許請求の範囲】
【請求項１】
弾性体に駆動用電気−機械エネルギー変換素子部と振動検出用電気−機械エネルギー変換素子部とを配置し、前記駆動用電気−機械エネルギー変換素子部と前記振動検出用電気−機械エネルギー変換素子部に共通の電位部分を持たない構造の振動体を有する振動型アクチュエータを駆動対象とし、前記振動検出用電気−機械エネルギー変換素子部の出力と前記駆動用電気−機械エネルギー変換素子部へ印加される交番信号に基づいて前記駆動用電気−機械エネルギー変換素子部へ印加する交番信号を制御する振動型アクチュエータの駆動装置において、
前記振動検出用電気−機械エネルギー変換素子部および前記駆動用電気−機械エネルギー変換素子部の出力電圧をある電圧レベル以下の範囲で検出できる電圧検出手段を有することを特徴とする振動型アクチュエータの駆動装置。
【請求項２】
前記電圧検出手段は、分圧手段であることを特徴とする請求項１に記載の振動型アクチュエータの駆動装置。
【請求項３】
前記駆動用電気−機械エネルギー変換素子部のための分圧手段と、前記振動検出用電気−機械エネルギー変換素子部の分圧手段の分圧比を等しくしたことを特徴とする請求項２に記載の振動型アクチュエータの駆動装置。
【請求項４】
前記電圧検出手段は、ある電圧レベルより大きい成分をクリップして削除する手段であることを特徴とする請求項１に記載の振動型アクチュエータの駆動装置。
【請求項５】
前記駆動用電気−機械エネルギー変換素子部の両端の電極に対してインピーダンス素子を介して交番信号を印加し、振動検出用電気−機械エネルギー変換素子部および、駆動用電気−機械エネルギー変換素子部の一端の出力電圧を分圧手段により分圧したことを特徴とする請求項１または２に記載の振動型アクチュエータの駆動装置。
【請求項６】
請求項１から５のいずれか一つに記載の振動型アクチュエータの駆動装置を制御装置に有し、前記振動型アクチュエータを駆動源として被駆動体を駆動制御することを特徴とする振動型アクチュエータを駆動源とする装置。
【手続補正２】
【補正対象書類名】明細書
【補正対象項目名】０００４
【補正方法】変更
【補正の内容】
【０００４】
振動子部１０１の圧電素子部は、駆動用のＡ相圧電素子ａ１，ａ２およびＢ相圧電素子ｂ１，ｂ２と振動検出圧電素子ｓ１から構成されている。このときＡ相圧電素子ａ１，ａ２に挟まれた部分の電極板Ａ−ｄにＡ相印加電圧，Ｂ相圧電素子ｂ１，ｂ２に挟まれた部分の電極板Ｂ−ｄにＢ相印加電圧を加えることで、該圧電素子が駆動される。


【手続補正３】
【補正対象書類名】明細書
【補正対象項目名】０００６
【補正方法】変更
【補正の内容】
【０００６】
振動検出圧電素子ｓ１は、同様に一方（図９のＢ相側）はＧＮＤ電位になっており、その反対側の電極板Ｓ−ｄから信号を取り出すように構成されている。またこのとき振動検出圧電素子ｓ１の信号取り出し面側（電極板Ｓ−ｄ側）は、金属ブロックと接しているが、そのブロックは絶縁シートによりＧＮＤ電位から絶縁されている。よって振動検出圧電素子ｓ１からその振動に応じた出力電圧がそのまま得られる。そして、この電圧の大きさや駆動電圧との位相差などにより共振周波数などを求める。


【手続補正４】
【補正対象書類名】明細書
【補正対象項目名】００２４
【補正方法】変更
【補正の内容】
【００２４】
また、振動検出用圧電素子Ｓについても、一端の出力を抵抗Ｒ５と抵抗Ｒ６により分圧し、他端の出力を抵抗Ｒ７とＲ８により分圧し、振動検出用圧電素子Ｓの各分圧出力をコンパレータ１１’の＋−の各端子に入力させている。


【手続補正５】
【補正対象書類名】明細書
【補正対象項目名】００５４
【補正方法】変更
【補正の内容】
【００５４】
このときのインダクタンスの値は従来の一端だったときの値のほぼ半分にしている。このようにすると駆動用圧電素子の一端Ａに印加している電圧の波形はきれいなＳｉｎ波になり、他端の電圧を差し引かなくても正確な位相情報が得られる。上記した第１の実施の形態のように、圧電素子の片側にインダクタンス素子（６、７）を付けるのと、本実施の形態のように圧電素子の両側に半分の値のインダクタンス素子（６、６’、７、７’）を付けるのとは、インピーダンスのマッチングという意味において等価である。ただ、そのときに圧電素子の両端にインダクタンス素子を付けた場合は圧電素子の容量値とインダクタンスによるフィルタ効果で矩形波の高調波成分が除去されてきれいなサイン波となる。


【手続補正６】
【補正対象書類名】図面
【補正対象項目名】図２
【補正方法】変更
【補正の内容】
【図２】
1998304687.tif 000001
【手続補正７】
【補正対象書類名】図面
【補正対象項目名】図７
【補正方法】変更
【補正の内容】
【図７】
1998304687.tif 000002
【手続補正８】
【補正対象書類名】図面
【補正対象項目名】図９
【補正方法】変更
【補正の内容】
【図９】
1998304687.tif 000003
【手続補正９】
【補正対象書類名】図面
【補正対象項目名】図１０
【補正方法】変更
【補正の内容】
【図１０】
1998304687.tif 000004
【手続補正１０】
【補正対象書類名】図面
【補正対象項目名】図１１
【補正方法】変更
【補正の内容】
【図１１】
1998304687.tif 000005
【手続補正書】
【提出日】平成16年3月2日(2004.3.2)
【手続補正１】
【補正対象書類名】明細書
【補正対象項目名】特許請求の範囲
【補正方法】変更
【補正の内容】
【特許請求の範囲】
【請求項１】
原稿の画像情報を読取る読取手段と、
この読取手段で読取られた画像情報を記憶する記憶手段と、
前記記憶手段に記憶された画像情報から被画像形成媒体に画像形成する際に原稿の頁毎に指定枚数を一括して形成するグループモードと、前記記憶手段に記憶された画像情報から被画像形成媒体に画像形成する際に１部毎に綴じるソートモードとのいずれか一方での画像形成実行を設定する設定手段と、
上記設定手段で設定された画像形成の実行形態としてグループモードとソートモードの一方を選択する手段と、
この選択手段の出力に応じて選択されたグループモードの実行形態として、原稿頁の夫々に対して指定枚数の画像形成が終了する毎に当該画像情報を前記記憶手段から削除する第１の削除モードと、すべての原稿頁に対してそれぞれ指定枚数の画像形成が終了した後に当該すべての原稿頁の画像情報を前記記憶手段から一括削除する第２の削除モードとのいずれかを選択する手段と、
前記第２の削除モードが選択されたときは前記ソートモードにより画像形成を実行してから前記一括削除を行う手段と、
を具備したことを特徴とする画像形成装置。
【請求項２】
原稿の画像情報を読取る読取手段と、
この読取られた画像情報を圧縮する手段と、
この圧縮された画像情報をファイル化して記憶する記憶手段と、
この記憶手段の残りの記憶容量が少なくとも前記読取手段により読取可能な最大寸法の頁画像の圧縮・ファイル化された画像情報を記憶できる閾値以下となった時にメモリフルの処理を実行する手段と、
前記メモリフルになったときに前記記憶手段についてメモリフル処理を行う手段と、
前記メモリフル処理が行われたときに前記読取り手段にセットされている原稿がある場合には当該原稿の読取り動作およびこの読み取った画像情報の前記圧縮ならびにファイル化を実行する手段と、
前記記憶手段にファイル化して記憶された画像情報に基き被画像形成媒体に画像を形成する画像形成手段と、
を具備したことを特徴とする画像形成装置。
【請求項３】
原稿の画像情報を読取る読取手段と、
この読取手段で読取られた画像情報を記憶する記憶手段と、
この記憶手段に記憶された画像情報を圧縮してファイル化する第１のファイル化手段と、
前記記憶手段に記憶された画像情報を９０°回転して圧縮しファイル化する第２のファイル化手段と、
前記記憶手段に記憶された画像情報を１８０°回転して圧縮しファイル化する第３のファイル化手段と、
前記記憶手段に記憶された画像情報を２７０°回転して圧縮しファイル化する第４のファイル化手段と、
所定の画像形成条件により上記ファイル化された画像情報から前記被画像形成媒体に画像を形成する手段と、
を具備したことを特徴とする画像形成装置。
【手続補正２】
【補正対象書類名】明細書
【補正対象項目名】００１０
【補正方法】変更
【補正の内容】
【００１０】
【課題を解決するための手段】
この発明の画像形成装置は、原稿の画像情報を読取る読取手段と、この読取手段で読取られた画像情報を記憶する記憶手段と、前記記憶手段に記憶された画像情報から被画像形成媒体に画像形成する際に原稿の頁毎に指定枚数を一括して形成するグループモードと、前記記憶手段に記憶された画像情報から被画像形成媒体に画像形成する際に１部毎に綴じるソートモードとのいずれか一方での画像形成実行を設定する設定手段と、上記設定手段で設定された画像形成の実行形態としてグループモードとソートモードの一方を選択する手段と、この選択手段の出力に応じて選択されたグループモードの実行形態として、原稿頁の夫々に対して指定枚数の画像形成が終了する毎に当該画像情報を前記記憶手段から削除する第１の削除モードと、すべての原稿頁に対してそれぞれ指定枚数の画像形成が終了した後に当該すべての原稿頁の画像情報を前記記憶手段から一括削除する第２の削除モードとのいずれかを選択する手段と、前記第２の削除モードが選択されたときは前記ソートモードにより画像形成を実行してから前記一括削除を行う手段とから構成されている。


【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１９
【補正方法】削除
【補正の内容】
【手続補正書】
【提出日】平成16年2月12日(2004.2.12)
【手続補正１】
【補正対象書類名】明細書
【補正対象項目名】００９０
【補正方法】変更
【補正の内容】
【００９０】
４−４  編集モード
モードスイッチ２４により編集モードに設定された場合のコントローラ４０の処理は図２０のようになる。
編集モードは、ディスク９０に収録した映像を再生させたり、編集を行うことのできるモードであり、編集モードに入ると、まずコントローラ４０はステップＦ３０１として編集画面の表示を開始させる。即ちモニタ画像生成部５１に、フレームメモリ５０から供給されるディスク再生映像と、キャラクタジェネレータ６７から得られる所定の映像を用いて、図３３以降に示すプレビュー画面、トリム／エディット画面、クリップ／アレンジ画面などの各種編集画面としての表示用映像信号を生成させ、ヘッドセット１２０の表示部１３５で表示させる動作を開始させる。なお、各編集画面内容については後述する。
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
全画素の信号電荷を同一時刻に独立に読み出す全画素読み出しモードと、垂直方向の一部の画素列のみから信号電荷を読み出す間引き読み出しモードとを選択的にとり得る固体撮像素子と、
前記固体撮像素子の駆動周波数を動作モードに応じて可変させる周波数可変手段と
を備えることを特徴とする固体撮像装置。
【請求項２】
前記周波数可変手段は、
所定周波数の基準パルスを発振する発振器と、
前記発振器が発振した基準パルスを分周する分周器と、
前記発振器が発振した基準パルスと、前記分周器が分周した後のパルス信号とのいずれかを、動作モードに応じて前記固体撮像素子に供給するセレクタと
からなることを特徴とする請求項１記載の固体撮像装置。
【請求項３】
被写体の光学像を２次元の画像として結像させる光学レンズと、該光学レンズによって結像された画像に対する光電変換を行う固体撮像装置と、該固体撮像装置での光電変換によって得られた電気信号を撮影データとして保存する記憶手段と、該記憶手段に撮影データを保存するにあたって、前記被写体の構図を確認するために、前記固体撮像装置での光電変換によって得られた電気信号を可視画像化して表示する表示手段とを具備するカメラにおいて、
前記固体撮像装置は、
全画素の信号電荷を同一時刻に独立に読み出す全画素読み出しモードと、垂直方向の一部の画素列のみから信号電荷を読み出す間引き読み出しモードとを選択的にとり得る固体撮像素子と、
前記固体撮像素子の駆動周波数を動作モードに応じて可変させる周波数可変手段と
を備えたものであることを特徴とするカメラ。
【請求項４】
前記固体撮像素子は、前記表示手段による構図確認時には前記間引き読み出しモードが設定され、前記記憶手段への電気信号取り込み時には前記全画素読み出しモードが設定され、
前記周波数可変手段は、前記間引き読み出しモード時における駆動周波数を、前記全画素読み出しモード時における駆動周波数よりも低くする
ことを特徴とする請求項３記載のカメラ。
【請求項５】
全画素の信号電荷を同一時刻に独立に読み出す全画素読み出しモードと、垂直方向の一部の画素列のみから信号電荷を読み出す間引き読み出しモードとを選択的にとり得る固体撮像素子を備えた固体撮像装置の駆動方法において、
前記固体撮像素子から前記間引き読み出しモードで信号電荷を読み出す場合に、前記固体撮像素子の駆動周波数を、前記全画素読み出しモード時における駆動周波数よりも低くする
ことを特徴とする固体撮像装置の駆動方法。
【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
一定でない時間基準を有し得る水平同期部分と垂直同期部分とを有するテレビジョン入力信号から生成されるディジタル化テレビジョン画像信号を処理する方法であって；
該ディジタル化テレビジョン画像信号の画素を行と列との直交アレイに、
実質的に一定の時間基準を用いて、配置する工程；
を含み；
更に、該画素アレイから、表示するのに適した出力テレビジョン信号を生成する工程；
を備え；
該出力テレビジョン信号の、該アレイから出力する対象の画素数は、行毎の画素数が一定であるが該出力テレビジョン信号のフィールド又はフレーム毎の行数が不定であるように、変動して該出力テレビジョン信号に、前記テレビジョン入力信号の垂直周波数に追従する垂直周波数を備えることを特徴とする方法。
【請求項２】
一定でない時間基準を有し得る水平同期部分と垂直同期部分とを有するテレビジョン入力信号から生成されるディジタル化テレビジョン画像信号を処理する方法であって；
該ディジタル化テレビジョン画像信号の画素を行と列との直交アレイに、
実質的に一定の時間基準を用いて、配置する工程；
を含み；
更に、該画素アレイから、表示するのに適した出力テレビジョン信号を生成する工程；
を備え；
該出力テレビジョン信号の、該アレイから出力する対象の画素数は、フィールド又はフレーム毎の行数が一定であるが該出力テレビジョン信号の行毎の画素数が不定であるように、変動して該出力テレビジョン信号に、前記テレビジョン入力信号の垂直周波数に追従する垂直周波数を備えることを特徴とする方法。
【請求項３】
請求項1又は2記載の方法であって；
該ディジタル化テレビジョン画像信号の画素を該直交アレイに配置する場合に、該画素が係数群を利用して補間され、該補間によって該利用係数群が、該直交アレイに対する画素の当該時間的位置の関数として、選定されることを特徴とする方法。
【請求項４】
請求項1記載の方法であって；
該フィールド又はフレーム毎の行数が変更されて、該テレビジョン入力信号の該垂直周波数との同期性を各垂直フライバック・パルスによって達成することを特徴とする方法。
【請求項５】
請求項1記載の方法であって；
該入力信号は、データ・フレーム又はパケットに配置されるディジタル信号であり；
受信されるデータ・フレーム又はパケットの数から求められるか、示されるデータ・フレーム又はパケットの数は、大データ・フレーム毎に該入力信号との同期をとるように不定であることを特徴とする方法。
【請求項６】
一定でない時間基準を有し得る水平同期部分と垂直同期部分とを有するテレビジョン入力信号から生成されるディジタル化テレビジョン画像信号を処理する装置であって；
該ディジタル化テレビジョン画像信号の画素を行と列との直交アレイに、
実質的に一定の時間基準を用いて、配置する手段；
を含み；
更に、該画素アレイから、表示するのに適した出力テレビジョン信号を生成する手段；
を備え；
該出力テレビジョン信号の、該アレイから出力する対象の画素数は、行毎の画素数が一定であるが該出力テレビジョン信号のフィールド又はフレーム毎の行数が不定であるように、変動して、該出力テレビジョン信号に、前記テレビジョン入力信号の垂直周波数に追従する垂直周波数を備えることを特徴とする装置。
【請求項７】
一定でない時間基準を有し得る水平同期部分と垂直同期部分とを有するテレビジョン入力信号から生成されるディジタル化テレビジョン画像信号を処理する装置であって；
該ディジタル化テレビジョン画像信号の画素を行と列との直交アレイに、
実質的に一定の時間基準を用いて、配置する手段；
を含み；
更に、該画素アレイから、表示するのに適した出力テレビジョン信号を生成する手段；
を備え；
該出力テレビジョン信号の、該アレイから出力する対象の画素数は、フィールド又はフレーム毎の行数が一定であるが該出力テレビジョン信号の行毎の画素数が不定であるように、変動して、該出力テレビジョン信号に、前記テレビジョン入力信号の垂直周波数に追従する垂直周波数を備えることを特徴とする装置。
【請求項８】
テレビジョン受像機であって、請求項6又は7記載の装置を含むことを特徴とするテレビジョン受像機。
【手続補正書】
【提出日】平成16年4月7日(2004.4.7)
【手続補正１】
【補正対象書類名】明細書
【補正対象項目名】発明の名称
【補正方法】変更
【補正の内容】
【発明の名称】印刷中に暇つぶし番組を出力する画像合成プリント装置


【手続補正２】
【補正対象書類名】明細書
【補正対象項目名】特許請求の範囲
【補正方法】変更
【補正の内容】
【特許請求の範囲】
【請求項１】
つぎの事項（１）〜（11）により特定される画像合成プリント装置。
（１）データ記憶手段と、画像合成手段と、操作入力手段と、ビデオカメラと、ディスプレイと、スピーカーと、ビデオプリンタと、制御手段を備えた画像合成プリント装置である。
（２）データ記憶手段は、多数の装飾図案データと、多数の暇つぶし番組データを格納している。
（３）暇つぶし番組データは、ディスプレイに表示するための映像データと、スピーカーから発音するための音声データの少なくとも一方が含まれている。
（４）画像合成手段は、装飾図案データにビデオカメラで撮影した映像を組み合わせた合成画像を出力する。
（５）操作入力手段は、利用者の入力を受け付ける。
（６）制御手段は、図案選択処理と、合成画像表示処理と、印刷指示処理と、番組選択処理と、印刷中処理を可能とする。
（７）図案選択処理は、ディスプレイに選択肢を表示するとともに利用者入力を受け付けて、多数の中から１つの装飾図案データを利用者に選択させる。
（８）合成画像表示処理は、選択された装飾図案データをデータ記憶手段から読み出して画像合成手段に供給し、合成画像をディスプレイに表示させる。
（９）印刷指示処理は、印刷を指示する利用者入力に応答し、合成画像をサンプリングしてビデオプリンタに供給し、印刷を開始させる。
（10）番組選択処理は、合成画像の印刷の機会ごとに、利用状況情報に基づいて多数の中から１つの暇つぶし番組データを選択する。
（11）印刷中処理は、合成画像の印刷中に、選択した暇つぶし番組データをデータ記憶手段から読み出してディスプレイやスピーカーにて出力させる。
【請求項２】
多数の装飾図案データと多数の暇つぶし番組データとの対応関係を記述した番組選択テーブルを備え、
番組選択処理は、利用者が選択した装飾図案データと番組選択テーブルとに基づいて、暇つぶし番組データを選択する
請求項１に記載の画像合成プリント装置。
【請求項３】
利用時期を表す情報と多数の暇つぶし番組データとの対応関係を記述した番組選択テーブルと、現在の利用時期に関連した情報を逐次生成する手段とを備え、
番組選択処理は、現に利用されている時期の情報と番組選択情報とに基づいて、暇つぶし番組データを選択する
請求項１に記載の画像合成プリント装置。
【請求項４】
ホスト装置と通信する手段と、ホスト装置から配信される暇つぶし番組データを受信してデータ記憶手段に格納する手段を備えた請求項１〜３のいずれかに記載の画像合成プリント装置。
【手続補正３】
【補正対象書類名】明細書
【補正対象項目名】０００６
【補正方法】変更
【補正の内容】
【０００６】
【課題を解決するための手段】
この発明に係る画像合成プリント装置は、つぎの事項（１）〜（11）により特定されるものである。
（１）データ記憶手段と、画像合成手段と、操作入力手段と、ビデオカメラと、ディスプレイと、スピーカーと、ビデオプリンタと、制御手段を備えた画像合成プリント装置である。
（２）データ記憶手段は、多数の装飾図案データと、多数の暇つぶし番組データを格納している。
（３）暇つぶし番組データは、ディスプレイに表示するための映像データと、スピーカーから発音するための音声データの少なくとも一方が含まれている。
（４）画像合成手段は、装飾図案データにビデオカメラで撮影した映像を組み合わせた合成画像を出力する。
（５）操作入力手段は、利用者の入力を受け付ける。
（６）制御手段は、図案選択処理と、合成画像表示処理と、印刷指示処理と、番組選択処理と、印刷中処理を可能とする。
（７）図案選択処理は、ディスプレイに選択肢を表示するとともに利用者入力を受け付けて、多数の中から１つの装飾図案データを利用者に選択させる。
（８）合成画像表示処理は、選択された装飾図案データをデータ記憶手段から読み出して画像合成手段に供給し、合成画像をディスプレイに表示させる。
（９）印刷指示処理は、印刷を指示する利用者入力に応答し、合成画像をサンプリングしてビデオプリンタに供給し、印刷を開始させる。
（10）番組選択処理は、合成画像の印刷の機会ごとに、利用状況情報に基づいて多数の中から１つの暇つぶし番組データを選択する。
（11）印刷中処理は、合成画像の印刷中に、選択した暇つぶし番組データをデータ記憶手段から読み出してディスプレイやスピーカーにて出力させる。


【手続補正４】
【補正対象書類名】明細書
【補正対象項目名】０００７
【補正方法】変更
【補正の内容】
【０００７】
この発明は、以上の構成を基本とし、多数の装飾図案データと多数の暇つぶし番組データとの対応関係を記述した番組選択テーブルを備え、番組選択処理は、利用者が選択した装飾図案データと番組選択テーブルとに基づいて、暇つぶし番組データを選択する構成を採用することができる。


【手続補正５】
【補正対象書類名】明細書
【補正対象項目名】０００８
【補正方法】変更
【補正の内容】
【０００８】
また、この発明は、利用時期を表す情報と多数の暇つぶし番組データとの対応関係を記述した番組選択テーブルと、現在の利用時期に関連した情報を逐次生成する手段とを備え、番組選択処理は、現に利用されている時期の情報と番組選択情報とに基づいて、暇つぶし番組データを選択する構成を採用することができる。


【手続補正６】
【補正対象書類名】明細書
【補正対象項目名】０００９
【補正方法】変更
【補正の内容】
【０００９】
また、この発明は、ホスト装置と通信する手段と、ホスト装置から配信される暇つぶし番組データを受信してデータ記憶手段に格納する手段を備えることができる。さらに、この発明において、複数の暇つぶし番組データが選択の候補として挙がった場合に、その中からランダムに暇つぶし番組データを選択するものとしたり、それらの番組データの中のどのデータから順番に選択していくかについて選択順番を付けておくこともできる。
【手続補正書】
【提出日】平成16年4月21日(2004.4.21)
【手続補正１】
【補正対象書類名】明細書
【補正対象項目名】００３５
【補正方法】変更
【補正の内容】
【００３５】
スイッチ回路６５は、受信しているテレビジョン放送又は外部オーディオ入力端子６４からのオーディオ信号と、ハードディスクドライブ８０から再生されたオーディオ信号との切り替えを行なうものである。スイッチ回路６５は、記録／再生コントローラ７７により制御される。すなわち、記録／再生コントローラ７７からの制御信号がシステムコントローラ５０を介してスイッチ回路６５に対して供給される。受信しているテレビジョン放送又は外部オーディオ入力端子６４からのオーディオ信号を出力する場合には、スイッチ回路６５が端子６５Ａ側に切り替えられる。ハードディスクドライブ８０からのオーディオ信号を出力する場合には、スイッチ回路６５が端子６５Ｂ側に切り替えられる。


【手続補正２】
【補正対象書類名】明細書
【補正対象項目名】００５３
【補正方法】変更
【補正の内容】
【００５３】
ユーザは、希望した区間ａ1 の再生が終了すると、例えば時点Ｃで、リアルタイム放送による映像に戻るために、例えばリモートコマンダ２のキャンセルキー１９を押す。このキャンセルキー１９によるコマンドがシステムコントローラ５０に供給され、スイッチ回路５８および６５において端子５８Ａおよび６５Ａがそれぞれ選択される。これにより、画面３に映出される映像が、ハードディスクドライブ８０から再生された映像からリアルタイム放送による映像へと切り替えられる。画面３には、リアルタイム放送による区間ａ4 からの映像が映出される。また、それと共に、記録／再生コントローラ７７に対して、ハードディスクドライブ８０からのデータの読み出しを中止するように指示が出される。


【手続補正３】
【補正対象書類名】明細書
【補正対象項目名】００７１
【補正方法】変更
【補正の内容】
【００７１】
図１０は、ツインピクチャ方式による表示の例である。このツインピクチャ方式では、図１０Ａに示されるように、画面３が主画面３Ａと副画面３Ｂとに分割され、それぞれ異なる映像が表示される。この例では、主画面３Ａにリアルタイム放送による映像が映出され、副画面３Ｂに再生映像が表示される。


【手続補正４】
【補正対象書類名】明細書
【補正対象項目名】００７２
【補正方法】変更
【補正の内容】
【００７２】
図１０Ｂ，図１０Ｃ，図１０Ｄは、上述の図９Ａ，図９Ｂ，図９Ｃにそれぞれ対応するものである。すなわち、図１０Ｂでは、副画面３Ｂに時間差表示１００'が表示される。また、図１０Ｃに示される例では、副画面３Ｂに現在時刻を表すアイコン１０１と再生映像のハードディスクドライブ８０に対する書き込み時刻を表すアイコン１０２とが表示され、さらに時刻の変化を示す表示１０３が表示される。図１０Ｄでは、副画面３Ｂの最外周に、再生映像が表示されていることを示す枠１０４が表示される。